(57)【要約】歯内療法用リーマおよび歯内療法用リーマとファイルの製造方法、さらに詳細には、円筒形のシャフト、およびシャフトの遠端部から前方に延びる作動部分を備えた歯内療法用リーマ。作動部分は、通常、シャフトの直径を超えて延びる１対のくさび形突出部を備えている。くさび形部の前方は頭部であり、通常は、シャフトの直径とほぼ等しい直径の非切削頭部である。通常、互いに対向して外側に突出する２つ（２）のくさび形部がある。本出願人は、歯内療法用リーマを製造する新規な方法も提供する。この方法は、２個構成の型を使用し、ワイヤ・ブランクを型の間に位置させ、その後、型を互いに押し付け、ワイヤ・ブランクに対する圧縮下でブランクを型の部分の形状に変形させる段階を含む。
2004527380.tif 000002
【特許請求の範囲】
【請求項１】
作動部分を有する歯科用器具を製造するプロセスであって、
ワイヤおよびダイを提供し、ダイが、少なくとも歯科用器具の作動部分の形状の一部を画定する複数の壁を有する段階と、
ワイヤをダイに隣接して位置させる段階と、
ワイヤを、歯科用器具の作動部分を画定するダイの壁を反映する形状に変形させるのに十分な圧縮力をワイヤに加える段階と、
変形させたワイヤをダイから外す段階とを含む、プロセス。
【請求項２】
提供する段階が、ステンレス鋼、超硬鋼、または他の鋼、ニチノール、プラスチック、合成物、グラファイト、または任意の他の適した材料で構築したワイヤを提供する段階を含む、請求項１に記載のプロセス。
【請求項３】
変形したワイヤから材料を除去することを含む、仕上段階をさらに含む、請求項１に記載のプロセス。
【請求項４】
仕上段階が、変形したワイヤの作動部分の少なくとも１部を研磨する段階を含む、請求項３に記載のプロセス。
【請求項５】
加える段階が２回以上繰り返される、請求項１に記載のプロセス。
【請求項６】
ワイヤ・ブランクを、ダイに対して少なくとも１組の各加える段階の間で位置変えする、請求項５に記載のプロセス。
【請求項７】
提供する段階のワイヤが、直径０．０１ｍｍ〜３．００ｍｍであり、変形したワイヤが、長さ１．０ｍｍ〜１００ｍｍである、請求項１に記載のプロセス。
【請求項８】
ダイが、２つ以上の部分からなり、ワイヤが、圧縮を与える段階の前に、前記部分の間に配置される、請求項１に記載のプロセス。
【請求項９】
長手方向軸および半径Ｒを有し、近端部および遠端部を有する、細長い可とう性の円筒形シャフトと、
シャフトの遠端部を越えて延び、細長いシャフトの長手方向軸と一致する長手方向軸を備えており、少なくとも１つの突出部を備え、各突出部が半径Ｒを超えて延び、アペックスを画定し、突出部は、アペックスの前方に延び、長手方向軸に対して９０°未満の角度をなす先導部分およびトレーリング・エッジ部分を備え、トレーリング・エッジ部分は、アペックスの後方に延び、長手方向軸に対して９０°未満の角度をなし、突出部はアペックスで厚さＴである、動作部分とを有する、歯科用器具。
【請求項１０】
シャフト部分が、直径０．０１ｍｍ〜３．００ｍｍ、長さ１．０ｍｍ〜１００．０ｍｍである、請求項９に記載の歯科用器具。
【請求項１１】
作動部が、アペックスでの厚さ０．００９ｍｍ〜２．９９ｍｍである、請求項９に記載の歯科用器具。
【請求項１２】
リーディング・エッジ部分が、長方形である、請求項９に記載の歯科用器具。
【請求項１３】
リーディング・エッジ部分の断面が、少なくとも部分的に凸形である、請求項９に記載の歯科用器具。
【請求項１４】
少なくとも２つの突出部が、１対の直径方向に対向する突出部を含む、請求項９に記載の歯科用器具。
【請求項１５】
リーディング・エッジ部分が、長方形である、請求項１４に記載の歯科用器具。
【請求項１６】
リーディング・エッジ部分の断面が、少なくとも部分的に凸形である、請求項１４に記載の歯科用器具。
【請求項１７】
突出部が、厚さ０．００９ｍｍ〜２．９９ｍｍである、請求項１４に記載の歯科用器具。
【請求項１８】
以下の、ニチノール、ステンレス鋼、超硬鋼、または他の鋼、プラスチック、合成物、グラファイト、または任意の他の適した材料の１つからなる、請求項１４に記載の歯科用器具。
【請求項１９】
シャフト部分が、直径０．０１ｍｍ〜３．００ｍｍ、長さ１．０ｍｍ〜１００．０ｍｍである、請求項１４に記載の歯科用器具。
【請求項２０】
ファイルまたはリーマと係合するための寸法の壁を備え、外面を有し、壁を備えた外面が外面に隣接する壁と比較して小さい直径である、円筒形のシャンクを備えている、歯科用器具。
【請求項２１】
縮小した直径の複数の壁が、切欠きを画定する、請求項２０に記載の歯科用器具。
【請求項２２】
縮小した直径の複数の壁が、溝を画定する、請求項２０に記載の歯科用器具。
【請求項２３】
長手方向軸および直径を有する円筒形のシャフトと、
シャフトの長手方向軸と一致する長手方向軸を有し、１対の対向するくさび形部および頭部を備え、頭部が１対のくさび形部の前方にある、作動部分とを備えている、歯科用器具。
【請求項２４】
頭部が切刃を備えている、請求項２３に記載の歯科用器具。
【請求項２５】
くさびが、非らせん状である、請求項２３に記載の歯科用器具。
【請求項２６】
器具が、ニチノール、ステンレス鋼、超硬鋼、または他の鋼、プラスチック、合成物、グラファイト、または任意の他の適した材料からなる、請求項２３に記載の歯科用器具。
【発明の詳細な説明】
【技術分野】
【０００１】
歯内療法用リーマおよび歯内療法用リーマとファイルの製造方法、さらに詳細には、突出するくさびを有する長手方向シャフトを備えた新規な歯内療法用リーマ、および圧縮で歯内療法器具を成形する新規な方法。
【背景技術】
【０００２】
歯内療法分野には、一般に根管として知られている歯髄の疾患が含まれ、通常、歯科医が歯髄内から感染した物質を取り除くことが必要である。根管自体は、血液を歯内に供給し歯髄を含んでいる歯内のスペースである。歯髄は、根管内に神経終末を有し、人が硬いものを強く噛みすぎた場合に、その神経終末が疼痛を起こして、警告する。時々、このスペース（根管）が感染し、歯科医が、歯髄および／または他の感染物質を取り除くために、根管のスペースを（リーマで）清掃することが必要になる。この清掃は、一連の器具を使用して、管を拡大し円錐体の形状にすることによって、歯髄および感染物質を取り除くことからなる。清掃および成形後、このスペースを密閉して再び感染しないようにする。歯科医の目的は、できるだけ多くの感染物質を除去して、完全な清掃を行うことである。感染物質を多く取り除くにしたがって、その症例の成功の可能性が高くなり、したがってその歯を保存できる可能性も高くなる。さもなければ、抜歯して、そのスペースに入れ歯を埋め、または他の方法で治療しなければならない。
【０００３】
通常、歯内療法用リーマは、らせん巻きの切刃（ブレード）を有する。リーマを回転させることによって、この切刃が、根管内で象牙質を切削し、感染物質を管の壁から除去する働きをさせる。本出願人は、従来技術のらせん巻きのリーマの多くの制約を克服する、有効な切削および物質の除去のための新規な歯内療法用リーマを発明した。本出願人による新規な歯内療法用リーマは、長手方向軸、およびその長手方向軸に対して、らせん巻きではなく、垂直に突出するくさび部を有するシャフトからなる。
【０００４】
本出願人は、第１の端部で手動操作または歯科用ハンドピースによる動力用のハンドルと係合し、第２の端部で根管の治療を必要とする患者の根管内で係合する新規なリーマを提供する。通常、くさびは、シャフトの直径よりも幅が広い。さらに、シャフトは通常、剛性ではなく可とう性である。この可とう性により、リーマが根管内の中心に留まることができる。本出願人によるくさびは、通常、作動部分の長手方向軸に対して斜角の前部および後部を備えている。通常、好ましい実施例では真直ぐでもよい、シャフトの周囲で半径方向に外側に向いた、１つまたは複数の切刃が設けられている。新規なパイロット頭部は、可とう性のシャフトを管内に案内する。このパイロット頭部は、切削または非切削部でもよい。
【０００５】
この新規な歯内療法用リーマの切刃は、通常、細く鋭利にすることができる。すなわち、切削効率を上げ、歯科医が治療に必要とする器具の数を減らすことができる。器具の数を減らすことによって、歯科医と患者の両方にとって、治療時間も短縮される。通常、切刃は、非常に薄く作成されるため、ブレードが根管壁と接触する表面積が小さくなる。こうした薄い刃（通常、厚さ０．０１ｍｍ〜１．００ｍｍ、好ましくは厚さ０．０５ｍｍ〜０．２５ｍｍ）は、前に切削した材料が、管から洗浄かつ吸引される前に留まるためのより大きいスペースを可能にする。従来技術と比較した場合、この追加のスペースは、切削した材料がブレードの切削動作の邪魔をすることによって生じる切削効率の損失を低減する助けをする。薄いブレードは、切削効率を上げ、シャフトへのねじり応力を低減する。ねじり（シャフトの長軸に沿ったねじり）による応力は、早期の器具の折損の主な原因である。
【０００６】
本出願人のリーマは、新規な方法で製造される。この方法は、完成品のシャフトと同じ直径のワイヤの使用を含む。このワイヤの形状は、円筒形または先細りでもよく、非金属、またはニチノール、ステンレス鋼、超硬鋼、または他の鋼、プラスチック、合成物、グラファイト、または任意の他の適した材料などの金属からなる。ワイヤは、リーマ用の「ブランク」を提供する。ワイヤの第２の端部、切削部付近を配置し、次いで、スエージ加工、圧印、熱または冷却成型、鍛造、加圧成形、または他の方法で機械的圧縮を加えて、第２の端部を「ラッパ状に広げ」て、第２の端部が平坦になるようにし（くさびが作り出される）、それによって、ワイヤの非平坦部（円い部分）よりも幅を大きくし、他方の寸法の円い部分よりも厚さを薄くする。圧縮後、平坦な部分のリーディング・エッジを研磨、機械加工、せん断、またはさらに成形して鋭利な切刃にすることができる。
【発明の開示】
【発明が解決しようとする課題】
【０００７】
従来技術では、歯内療法用リーマは、所望の形状に研削される。この研削プロセスは、時間がかかり、多くの工程段階を要し、非常に特殊で高コストの機械を使用する必要がある。この研削プロセスは、欠陥品を生み、完成した加工物の表面上に傷を作ることも多い。こうした欠陥品およびリーマの表面上の傷は、早期の破損を招き、患者への危険性を増大させ、リーマの有用な寿命を縮め、歯科医のリーマの使用をより高コストにする。したがって、このコストは、さらに高い治療費の形で患者にはね返る。したがって、生物学的理由からではなく、経済的な理由から、歯を保存するよりむしろ不必要に抜くことになる。
【０００８】
本出願人らは、新規なリーマを含む、歯科用器具を製造する新規なプロセスも提供する。新規なシャフトは、従来技術の典型的な、所望の直径になるまで外面を研削せずに作成されるため、より少ない材料が除去（廃棄）され、より少ない材料しか廃棄のために扱う必要がない。重要なことは、シャフトの表面が、研削プロセスによって損なわれないことである。この器具の疲れ寿命は、シャフトの表面がワイヤの形に加工されたときと同じ元の状態で保持されるために延長される。最後に、この簡略化した成形プロセスにより、より簡単で低コストの装置を使用して製造することができるようになる。こうした器具を製造する時間は短縮される。あまり特殊でない装置、およびシャフトを研削して細くするのに要する時間が省かれることにより、こうしたリーマを製造するコストが低減される。
【０００９】
本出願人は、ファイルまたはリーマを保持する、新規なハンドルも提供する。本出願人の新規なハンドルは、シャンクを含むことができる。このシャンクは、円筒形であり、ファイルまたはリーマと係合するように設計されている。本出願人の新規なハンドルは、通常シャンクに沿って、直径が縮小された部分を備えている。この縮小した直径は、溝（Ｕ形）、または切欠き（Ｖ形）の形状でもよい。こうした縮小した直径を提供することによって、本出願人は、予測可能な折点を提供して、ファイルまたはリーマが、歯の中ではなく、縮小した直径の折点で折損するようにする。換言すれば、ファイルまたはリーマが、シャフトに沿って、またはファイルまたはリーマの他の部分で折損すると回収が難しくなるが、縮小した直径の本出願人の新規なハンドルは、そうではなく、第１の端部で折損するため、歯の管内の深部の可能性があるファイルまたは他のリーマの部片よりも、歯からの回収がはるかに簡単である。
【課題を解決するための手段】
【００１０】
本出願人の発明の第１の目的は、新規なスペード・タイプ・ドリルを提供することである。このスペード・ドリルは、シャフトの直径を超えて延びて作動部分を画定し、作動部分は歯を切削する、複数のみぞまたはくさび形部分を備えた作動部分を有する。
【００１１】
本出願人の本発明の第２の目的は、スペード・タイプ・リーマを製造する新規な方法を提供することである。この新規な方法は、１対の型の間の円筒形の細長いワイヤ・ブランクまたは部分を圧縮して、圧縮下で材料を変形させ、型の形状にする段階を含む。
【００１２】
本出願人の本発明の第３の目的は、新規なハンドルを提供することである。このハンドルは、ファイルまたはリーマを保持するためのものであって、溝または切欠きを付けて、回転によって、シャフト上のコルクが所定値を超えた場合に、シャフトが折れることができる弱部または弱点を提供する部分を備えている。
【実施例】
【００１３】
図１、２、３、および４は、通常、より大きい管を切削するための、非切削先頭部を備えた、本出願人による本発明の第１の好ましい実施例を示す。図１Ａ、２Ａ、３Ａ、および３Ｂは、切削先頭部を備えた、本出願人による発明の第２の好ましい実施例を示す。図４Ａ、４Ｂ、４Ｃ、および４Ｄは、通常、細い管を切削するための切削先頭部を備えた、本出願人による発明の第３の好ましい実施例を示す。
【００１４】
参照の図は、シャフト部分（１２）を備え、シャフト部分（１２）が半径Ｒ、直径Ｄ、そして長手方向軸Ｌaを有する、新規なリーマ（１０）を示す。作動部分（１６）は、リーマのシャフト部分から前方に延びている。通常、リーマの作動部分（１６）は、象牙質の切削に活動的に関係するリーマの一部を含む。
【００１５】
このリーマは、第１の端部（１４ａ）および第２の端部（１４ｂ）を有しており、第２の端部は通常、ハンドル（図示せず）を受けるように、または円運動をリーマに伝える電動式駆動ツール内に受けられるようになっている。図１から３、１Ａから３Ａ、および４Ａから４Ｂを参照すると、シャフト端部および作動部分（１６）は、リーマが第１の（側面）図において細くなり始め（図１、１Ａ、および４Ｂを参照）、第２の（平面）図において幅が広くなり始めたところで始まっている（図２、２Ａ，および４Ａ）ことを留意されたい。この点が、作動部分の始まりであり、作動部分（１６）は、リーマの第１の端部まで延びている。具体的に、図１、２、１Ａ、２Ａ、および４Ａと４Ｂを参照すると、これらの実施例は、作動部分の突出部を示し、この突出部は、長手方向軸に対して垂直に測定した場合、シャフトの半径Ｒを超えて延びる部分であることを留意されたい。さらに、このシャフトは、作動部分の長手方向軸と一致する長手方向軸Ｌaを有することを留意されたい。
【００１６】
上記の好ましい図で示した上記の実施例は、１対の対向して配設された突出部を備えたリーマを示す。しかし、図５を参照すると、実際は、それぞれシャフトの半径を超えて延びる作動部分を備えた、さらに多くの突出部を配設してもよいことが示されている。さらに、作動部分は非らせん状であることを留意されたい。
【００１７】
添付の図を参照すると、シャフトは、作動部分よりも実質的に長く、可とう性であり、歯の溝の方向の変化に遭遇したときに曲がることができる作動部分を提供していることも示されている。シャフトの通常の長さは、１．０ｍｍから１００ｍｍまで（好ましくは１０ｍｍから５０ｍｍまで）、通常の作動部分は、０．２５ｍｍから１０ｍｍまで（好ましくは１．５ｍｍから３．０ｍｍまで）であるが、作動部分は、通常、シャフトの長さより実質的に短い長さ（通常３％〜２５％）である。これは、シャフトに必要な可とう性をもたらす。シャフトの直径は、０．０１ｍｍ〜３．００ｍｍ、長さは、１．０ｍｍ〜１００．０ｍｍでもよい。アペックスの厚さは、０．００９ｍｍ〜２．９９ｍｍでもよい。
【００１８】
図で分かるように、作動部分（１６）は、１対の対向する（長手方向軸に対して）垂直に突出するくさび（１８）を備えており、第１の図（図２、２Ａ、および４Ａ）では、幅が最初に広くなり、次いでアペックス（２０）に至り、次いでシャフトの直径に至るまで細くなっている。第２の図（図１）の、非切削先端部を備えた実施例で分かるように、くさび（１８）は、先ずアペックス（２０）で最小に至るまで細くなり、次いでシャフトの直径と等しい厚さに至るまで太くなっている。第２の実施例では、図１Ａ（側面図）を参照すると、くさびは、アペックスから前方は均一の厚さである。第３の実施例では、図４Ｂ（側面図）を参照すると、この器具は、アペックスの前方で連続して先細りになっている。
【００１９】
作動部分は、シャフトの遠端部から始まっている。突出部またはくさび（１８）は、アペックス（２０）を画定している。アペックスの前方は、リーディング・エッジ部分であり、アペックスの前方に延び、リーマの長手方向軸に対して９０°未満の角度を形成している。これは、図２、２Ａ、および４Ａで最もよく見ることができる。図１Ａ、２Ａ、および３Ａで示した第２の実施例のリーディング・エッジ部分は、通常、長方形の輪郭をしている。
【００２０】
図２、３、２Ａ、３Ａ、および４Ａで示したように、突出部は、最も幅が広いところ、アペックス（２０）で最大寸法に達するが、図１および１Ａ（側面図）で示した最も細い点または部分は、第３の実施例では、図４Ｂで最もよく見えるように、端部まで連続して先細りになっている。本出願人による新規なリーマは、アペックス（２０）の前方に、先導部分（２２）を備え、この先導部分は、アペックス（２０）から頭部（２４ａ）（図１〜３を参照）、または頭部（２４ｂ）（図１Ａ〜３Ａを参照）まで延びている。頭部は、リーマの長手方向軸に対して垂直に測定した最長寸法が、シャフト（１２）の直径以下の寸法である。上記に記載したように、シャフトの長手方向軸および作動部分の長手方向軸は一致している。
【００２１】
図１〜３で示した、本出願人による第１の実施例は、長手方向軸に対して垂直に切り取った断面図では、頭部（２４ａ）の断面は円形であり、先端部（２６ａ）は、半球形であることを示している。これは、非切削頭部である。図１Ａ〜３Ｂで示した、第２の実施例では、リーマの長手方向軸に対して垂直に切り取った断面図では長方形の頭部（２４ｂ）を開示している。これは、切刃を有する切削頭部である。この第２の実施例の頭部（２４ｂ）の先端部（２６ｂ）は、半円筒形として最もよく示されている。第３の実施例では、頭部（２４ｃ）の先端部（２６ｃ）は、切刃を備えた長方形である。
【００２２】
図１〜３で示した実施例に戻ると、先導部分（２２）は、図３では、１対の主な切削部分（２８ａ）および（２８Ｂ）を有していることを留意されたい。図３は、器具が歯の中に下方に向かって動作するときに、歯の管から「見た」図である。矢印は、回転方向を示す。回転方向を逆にすると、切削部分（２８ａ）および（２８ｂ）は、反対側の対向するコーナに移動する。図１〜３で示した実施例の主な切削部分（２８ａ）および（２８ｂ）と、図１Ａ〜３Ａで示した主な切削部分（３０ａ）および（３０ｂ）を比較されたい。
【００２３】
先導部に関して、図１〜３で示した実施例における長手方向軸に垂直に切り取った断面図は、エッジ部を示しているが、図１Ａ〜３Ａで示した実施例から切り取った同じ図は長方形を示している。両器具は、有効な切削を提供するが、試験では、長方形の頭部の実施例が、シャフトの直径よりも細い溝に遭遇した場合、この頭部部分が強力に切削を開始できることが示された。図１〜３で示した頭部（円形の頭部）では、頭部は切刃を有していない。
【００２４】
図３Ｂは、図１Ａ、２Ａ、および３Ｂで示した器具の斜視図を示す。より具体的には、図３Ｂは、頭部部分（２４ｃ）が、シャフトの直径よりも小さい直径の以前に切削した管内に器具が挿入される場合に、歯の表面に作用する切刃を備える方法を示す。
【００２５】
図４Ａ、４Ｂ、４Ｃ、および４Ｄは、本出願人による本発明の他の実施例を示す。この実施例は、上記の実施例を同様に、長手方向軸を有するシャフト（１２）、およびシャフト（１２）の前方の作動部分（１６）が設けられている。作動部分（１６）は、シャフト（１２）の円筒形が、圧縮（図６および７を参照）または他の適した方法によって変形された位置から始まる。いずれの場合も、シャフト（１２）の前方には、１つまたは複数の（この図では２つの）くさびがあり、この図で示した２つは互いに対向しており、くさび（１８）は、長手方向軸に対して垂直に測定したシャフト（１２）の直径を超えて延びる、器具の作動部分（１６）の一部を示している。くさび（１８）は、らせん形状ではなく真直ぐであり、アペックス（２０）から前方に延びるリーディング・エッジ部分、およびアペックス（２０）から後方に延びるトレーリング・エッジ部分（１９）を備えている。図４Ａおよび４Ｂで示した図は、それぞれ上面図および側面図を示す。両方の図を参照し、くさび形の部分が、（図４Ａで示した図では）シャフト（１２）の直径を超えて延び、それは通常、歯の側から「見える」器具の部分であることを理解されたい。
【００２６】
本出願人の発明を切削および非切削頭部と共に示す。切削頭部は、切刃と象牙質との間の接触によって、象牙質の強力な切削を提供するものである。図を参照すると分かるように、図１〜３で示した第１の実施例が、シャフト（１２）の直径よりの小さい溝内にある場合は、この頭部には切刃が存在しないため、頭部による象牙質の強い切削は行われない。しかし、第２および第３の実施例の頭部には切刃がある。切削頭部には、より小さい直径のシャフト（１２）を使用することができることを留意されたい。この理由は、シャフト（１２）に軸方向に沿って高圧力を加える必要がないためである。器具のシャフト（１２）の可とう性は、器具が、加工されている歯の溝の自然の湾曲に従うことができるようにするため、望ましい。本出願人の新規な切削頭部の使用により、本出願人は、ある程度の可とう性を達成しながら、座屈せずにシャフト上で十分な圧力を維持し、なお溝の有効な切削を提供することができる。
【００２７】
本出願人は、切刃またはくさび部分を（図１〜３を除いた）図で示した実施例の切削頭部と組み合わせる。切削頭部上の切刃は、真直ぐまたは湾曲してもよい（図４Ａを参照）。患者に対して器具の寸法を決める方法は、非切削部（「丸みを付けた頭部」）の寸法を、頭部が以前に切削した管に嵌まる寸法にすることである。切削頭部をより可とう性にするにしたがって、シャフトを、頭部がくさびのリーディング・エッジ部分と共に強く切削するような寸法にすることができる。
【００２８】
図４Ａで示した側面図、および４Ｄで示した図は、側面図で見た場合、器具が厚さを増しておらず、連続して先細りになっている点で、他の実施例の側面図とは異なっている。すなわち、アペックス（２０）の前方で器具が厚さを増している図１と、アペックス（２０）の前方で、器具が均一の厚さを維持している図２〜１Ａ、およびアペックス（２０）の前方で器具が連続して先細りになっている図４Ａを比較されたい。いずれにせよ、これらの実施例は全て、平面図では、くさび形を画定する。このくさびは、真直ぐであって、らせん巻きではない。この器具は、非切削頭部に対して切削頭部を使用し、側面図では厚みを増してもよいが、先端まで均一の厚さが維持され、または先細りになっている点で、異なっている。各器具は、歯科医の必要に応じて、象牙質を切削する際の実用性を有している。歯科医は、小さい管内で作動する、強力な切削を必要とし、または異なるサイズまたは形状の管内で作動する、あまり強力でない切削を必要とすることもある。重要なことは、本出願人による新規なくさび形状だけで、また、示した様々な特徴との組合せにより、歯内療法の専門家にさらに広範な可とう性が提供されることである。
【００２９】
たとえば、本出願人の非切削頭部は、サイズが０．３５ｍｍ以上の器具に使用することができる。たとえば、切削頭部の実施例では、より大きい可とう性により一部の適用では使用が簡単になる、サイズ０．３５ｍｍ未満の器具を使用することができる。
【００３０】
本出願人が上記その他のタイプの歯内療法用リーマおよびファイルを製造する新規な方法のついての図６および７を参照されたい。参照によりその明細書を本明細書に援用する、米国特許第５，８１６，８０７号に記載の方法などによって、多くのタイプのドリルが作られている。これらの特許は、加工物からの物質の除去または研削による歯科用ドリルの製造を開示している。それらは、図６および７で上記に示した、スエージ加工、抜打ち加工、圧印、加圧成形、または成形の、本出願人による新規な方法を開示していない。図６および７は、２個構成のダイまたは型Ｍ、および他の圧縮源Ｆの力を示す。（図で示したように適当な長さに切断し、またはスプールから巻き解いて、２個構成の型の間に挿入することができる）ワイヤ材料またはブランクＷＢを２個構成の型の間に位置させる。図で示したように、圧縮力を加えて、ワイヤ・ブランクを変形させて、完成品の形状に押し込める。このプロセスは、所望の結果を達成するには、１つまたは複数の方向からの、１つまたは複数の「衝突」が必要である。ブランクは、以下の材料、ニチノール、ステンレス鋼、超硬鋼、または他の鋼、プラスチック、合成物、グラファイト、または任意の他の適した材料から構築することができる。このブランクは、任意の断面形状でもよく、成形前に、平行または先細りの形状を有することができる。いくつかの典型的な型の形状を図８ＡとＢ、および９ＡとＢに示す。成形前の、ブランクの寸法は、以下の、直径０．０１ｍｍ〜３ｍｍ（好ましくは０．１０ｍｍ〜１．００ｍｍ）、長さ１ｍｍ〜１００ｍｍ（好ましくは１０ｍｍ〜６０ｍｍ）、または任意の他の適した寸法でもよい。
【００３１】
圧印または圧縮段階の前に、加工物をいくつかの方法で用意することができる。加工物は、材料の除去（たとえば、先端を予め成形すること）、または材料を適した長さに切断することによって用意することができる。圧縮段階の後、仕上げの段階を任意選択で含むことができる。本出願人によれば、仕上げとは、研削または慎重な研磨などによって、材料を慎重に選択して除去することを指す。本出願人の新規なプロセスは、任意選択で、圧縮後に行うことが好ましい、予加熱（たとえば焼き鈍し）の段階を含んで、圧縮中に起こる形状付けプロセスによって生じた応力を緩和することができる。圧縮自体は、周囲温度または高温で生じさせることができる。
【００３２】
製造の新規な方法により、歯科の歯内療法用リーマおよびファイルが、より有効に経済的に製作できるようになる。従来技術は、多くの製造段階を含む、時間がかかるプロセスが必要である。材料の無駄を適切に排除しなければならない。ブランクの表面は、製造中に損なわれることが多いため、有用な寿命が短縮され、歯科医にとって器具をより高コストなものにしている。患者は、こうした器具の製造が高コストなため、自分の歯を保存するよりもむしろ抜歯して失うことになる。
【００３３】
この新規な製造プロセスは、所望の形状に成形するための圧縮力およびツールのダイが必要である。このプロセスでは、多くの部片を非常に短時間で成形することができる。部品を成形するために必要とされる機械は、プレス、４つのスライドまたは多数のスライド、または任意の従来のプレスである。こうした機械は、多様な業界で多様な部品を製作する際に、一般に使用されており（しかし、一般に歯科業界でリーマを作成するためには使用されていない）、したがって比較的低コストで入手、設置、維持される。この新規な製造方法では、リーマなど歯科用器具の製造の予想コストは、現在の製造コストの約５分の１である。
【００３４】
この歯内療法用リーマまたは他のタイプの歯内療法用リーマのための新規なハンドル（２５、２６）の２つの好ましい実施例についての図１０および１１を参照されたい。ハンドルは、通常、近位端に本体（３４）、および遠位端にシャンク（３２）を備えており、シャンクは、円筒形の本体（３４）よりも小さい直径の円筒形である。このシャンクは、リーマまたはファイルを受ける。ハンドル自体は、多様な形状に構成することができる。従来技術では、手動操作用に取り付けたハンドル、または動力操作用の歯科用ハンドピース内に嵌まるように設計されたハンドルを備えたリーマおよびファイルが記載されている。本出願人の新規なハンドル（２５、２６）は、通常、シャンク（３４）に沿って、ハンドルに加工された溝（２５ａ）（Ｖ形）または切欠き（２６ａ）（Ｕ形）を示している。ただし、この切欠き（２５ａ）または溝（２６ａ）は、多様な構成のものでもよい。これは、使用の際に過剰なトルクがリーマまたはファイルに与えられた場合の、予測可能な「折点」として働く。この切欠きまたは溝、すなわちハンドルのシャンクまたは本体の外面上の切欠きまたは溝は、切欠きまたは溝の両側のすぐ隣接する壁よりも小さい直径の壁を画定する。この新規なハンドルが存在しない従来技術では、器具の最弱点で予測不可能に折損することがある。残念ながら、この予測不可能な弱点は、歯の中の深いところで生じることが多く、実際に、歯科医が、折損した破片の回収をすることが不可能になる。最小限のねじり荷重を知ることによって、折損前に、この器具に耐性をもたせることができ、ハンドルの材料に基づいた慎重な工学的計算によって、切欠きまたは溝の深さに切削して、リーマまたはファイルが折れる前に、ハンドル自体が折れるようにすることができる。この予測点での折損により、医師に、破片を掴んで根管の外に引き出す「ハンドル」が与えられ、管の中ではなく、簡単にアクセス可能な点で器具が折れるため、器具を管から回収することができるようになる。
【００３５】
通常、この溝または切欠きは、シャンクの直径の約２５％〜７５％に縮小した直径を有する。たとえば、シャンクの直径が０．９０ｍｍの場合、溝または切欠きの深さは、約０．２３ｍｍ〜０．６８ｍｍである。
【００３６】
本発明の特定の実施例について、図で示し記載したが、本発明の広範な態様において、本発明から逸脱することなく、変更および修正を加えることができることは当業者には明らかであろう。したがって、添付の特許請求の範囲の目的は、本発明の真の精神および範囲内にあるこうした変更および修正を全て包括するものである。上記の記載で述べた内容および添付の図面は、単に例示のために提供されたものであって、限定的なものではない。本発明の実際の範囲は、従来技術に基づいて適切な観点から見た、随伴の特許請求の範囲で定義されるものである。
【図面の簡単な説明】
【００３７】
【図１】（左側面および右側面図が同一である）本出願人による本発明の好ましい実施例を示す側面図である。
【図１Ａ】（左側面および右側面図が同一である）本出願人による本発明の代替の好ましい実施例を示す側面図である。
【図２】図１および２で示し、図１の図を９０°回転して示した、（上面および底面図が同一である）本出願人による本発明の好ましい実施例を示す上面図である。
【図２Ａ】図１の図を９０°回転して示した、（上面および底面図が同一である）本出願人による本発明の代替の好ましい実施例を示す上面図である。
【図３】図１および２で示した、（頭部に向かって見た）本出願人による本発明の代替の好ましい実施例を示す端面図である。
【図３Ａ】図１Ａおよび２Ａで示した、（頭部に向かって見た）本出願人による本発明の代替の好ましい実施例を示す端面図である。
【図３Ｂ】図１Ａ、１Ｂ、および１Ｃで示した、本出願人による本発明の代替の好ましい実施例を示す斜視図である。
【図４】図１、２、および３で示した、本出願人による本発明の代替の好ましい実施例を示す斜視図である。
【図４Ａ】本出願人による本発明の好ましい実施例を示す図である。
【図４Ｂ】本出願人による本発明の好ましい実施例を示す図である。
【図４Ｃ】本出願人による本発明の好ましい実施例を示す図である。
【図４Ｄ】本出願人による本発明の好ましい実施例を示す図である。
【図５Ａ】シャフトの軸から半径方向に外側に向いた４つのみぞまたはくさび形の突出部を有する、本出願人による本発明の代替の好ましい実施例を示す側面図である。
【図５Ｂ】頭部に向かって見た、図５Ａで示した本出願人による本発明の代替の好ましい実施例を示す端面図である。
【図６】型に加えた圧縮力によって、ファイルまたはリーマなど歯科用器具を製造する新規な方法を示す側面図である。
【図７】型に加えた圧縮力によって、ファイルまたはリーマなど歯科用器具を製造する新規な方法を示す上面図である。
【図８】ＡとＢはそれぞれ１対の対向するくさび形またはみぞを付けた作動部分を備えた、本出願人による新規なリーマを製造する方法のための２つの対の型を示す側面図である。
【図９】ＡとＢはそれぞれ１対の対向するくさび形またはみぞを付けた作動部分を備えた、本出願人による新規なリーマを製造する方法のための２つの対の型を示す底面図である。
【図１０】所定のトルクで折損または分離する手段を含む、本出願人のハンドルの２つの代替の好ましい実施例を示す図である。
【図１１】所定のトルクで折損または分離する手段を含む、本出願人のハンドルの２つの代替の好ましい実施例を示す図である。
【図６】
2004527380.tif 000003
【図７】
2004527380.tif 000004
【図８】
2004527380.tif 000005
【図９】
2004527380.tif 000006
【国際公開パンフレット】
2004527380.tif 000007
2004527380.tif 000008
2004527380.tif 000009
2004527380.tif 000010
2004527380.tif 000011
2004527380.tif 000012
2004527380.tif 000013
2004527380.tif 000014
2004527380.tif 000015
2004527380.tif 000016
2004527380.tif 000017
2004527380.tif 000018
2004527380.tif 000019
2004527380.tif 000020
2004527380.tif 000021
2004527380.tif 000022
2004527380.tif 000023
2004527380.tif 000024
2004527380.tif 000025
2004527380.tif 000026
2004527380.tif 000027
2004527380.tif 000028
2004527380.tif 000029
2004527380.tif 000030
2004527380.tif 000031
2004527380.tif 000032
2004527380.tif 000033
2004527380.tif 000034
2004527380.tif 000035
2004527380.tif 000036
2004527380.tif 000037
2004527380.tif 000038
【国際公開パンフレット（コレクトバージョン）】
2004527380.tif 000039
【国際調査報告】
2004527380.tif 000040
2004527380.tif 000041